【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
粒状材料から汚染物を除去するモジュール構成の脱塵装置において、
上部に有す製品供給開口および下部に有す製品排出開口を設けた円筒形のハウジングと、
供給ホッパーの下側に設けた排出開口まで延長する供給ホッパーと、
下部の前記ハウジングによって支持され、下部の前記ハウジング内の中心に設けられた上向きのレグまで延長する空気供給装置と、
前記上向きのレグに取り付けられ、逆円錐形の洗浄デッキ装置の頂点が前記供給ホッパーの前記排出開口内の中心に位置して、この頂点で向きが定められる前記逆円錐形の洗浄デッキ装置とを備え、
前記洗浄デッキ装置が、この洗浄デッキ装置を通過する空気の通路として、この洗浄デッキ装置の円錐表面に円周状に複数の開口を有す上部表面を設け、そして、前記空気供給装置の空気通路のために中心開口を設けたボトムプレート部材を有し、
前記洗浄デッキ装置に落とした前記粒状材料をきれいにするために前記洗浄デッキ装置の周囲にベンチュリゾーンを形成して、前記洗浄デッキ装置と前記ハウジングとの間を上向きに空気が通るように通気口を前記ボトムプレート部材の外側円周に有し、さらに、
前記ハウジングの上部に着脱自在に取り付けられた空気排出捕集器を有することを特徴とする脱塵装置。
【請求項２】
前記洗浄デッキ装置に対して上下に移動するために前記空気排出捕集器から支持される前記供給ホッパーである請求項１に記載の脱塵装置。
【請求項３】
前記供給ホッパーの上下の移動を与えるために選択的に作用する調節機構で前記供給ホッパーを支持する請求項２に記載の脱塵装置。
【請求項４】
前記空気排出捕集器の中の中心開口に突出するスリーブであって、上下方向に向けた前記スリーブを設けたフランジ式スリーブに前記上部の前記製品供給開口を定める請求項３に記載の脱塵装置。
【請求項５】
前記供給ホッパーが、前記空気排出捕集器の前記中心開口内に設置され、前記調節機構によって上下動されたときに、前記中心開口内で前記供給ホッパーを中心位置に合わせるために前記供給ホッパーの外側に隙間を設けた請求項４に記載の脱塵装置。
【請求項６】
前記空気排出捕集器が、この空気排出捕集器の中心開口を取り囲む環状チャンバーを有し、
この環状チャンバーが、前記中心開口を構成する内壁および外壁によって構成され、そして、この外壁が前記内壁より高く突き出ており、
前記洗浄デッキおよび前記ベンチュリゾーンからの空気が、前記供給ホッパーと前記内壁との間を通過できて、かつこの脱塵装置から排出するために前記内壁を越えて前記環状チャンバーに流入する請求項１に記載の脱塵装置。
【請求項７】
前記空気排出捕集器に、半径方向に延設する空気排出導管を設け、この導管が前記環状チャンバーと流れを連通するように構成した請求項６に記載の脱塵装置。
【請求項８】
前記環状チャンバーが、前記空気排出導管に対して反対側の端部にバッフルを設けて、この環状チャンバーの横断面積を絞り、この端部内の前記空気の速度を加速させる請求項７に記載の脱塵装置。
【請求項９】
前記洗浄デッキ装置が、逆円錐形の洗浄デッキを有し、前記供給ホッパーからの材料流れを制御するために、この洗浄デッキの頂点を前記ホッパーの排出開口内に設定する請求項１に記載の脱塵装置。
【請求項１０】
前記空気供給装置が前記洗浄デッキ内部の空気を前記複数の開口を経由してその流れを誘導するように、前記洗浄デッキ装置が前記空気供給装置に取り付けられる請求項９に記載の脱塵装置。
【請求項１１】
前記円筒形ハウジングが、前記洗浄デッキ装置の高さに透明な中央ハウジング部材を有し、これによって洗浄デッキ装置の運転状態を観察できる請求項１０に記載の脱塵装置。
【請求項１２】
粒状材料から汚染物を浄化処理する脱塵装置において、
製品供給開口および製品排出開口を有する概ね円筒形のハウジングと、
前記製品供給開口と流れを連通した円錐台形の供給ホッパーであり、汚染された粒状材料が通る排出開口を有する前記供給ホッパーと、
前記供給ホッパーの前記排出開口の位置まで円錐形の洗浄デッキの先端を延設して、前記汚染された粒状材料の前記流れを前記円錐形の洗浄デッキ上に均一に誘導するための洗浄デッキ装置であり、前記ハウジングから隙間を開けて設けた前記洗浄デッキ装置と、
を備え、
前記洗浄デッキ上を通過する前記汚染された粒状材料を浄化処理するために、前記洗浄デッキを通過する空気の通路として前記円錐形の前記洗浄デッキに複数の開口を設け、
前記洗浄デッキ装置に空気を供給するために、前記洗浄デッキ装置と流れを連通する空気供給装置を設け、
前記洗浄デッキ装置から前記複数の開口を通って前記空気を流出させ、前記洗浄デッキ上を通過する前記汚染された粒状材料から汚染物体を取り除き、
そして、
前記洗浄デッキ装置が前記空気供給装の空気通路のために中心開口を設けたボトムプレート部材を有し、
さらに
前記洗浄デッキ装置に落とした前記粒状材料をきれいにするために前記洗浄デッキ装置の周囲にベンチュリゾーンを形成して、前記洗浄デッキ装置と前記ハウジングとの間を上向きに空気が通るように通気口を前記ボトムプレート部材の外側円周に有し、
そしてさらに、
前記ハウジングから汚染物を含んだ空気を排出する空気排出捕集器であり、前記粒状材料を前記供給ホッパーに送る通路として中心開口を設けた前記空気排出捕集器を有することを特徴とする脱塵装置。
【請求項１３】
前記洗浄デッキ装置に対して上下に移動するための調節機構で前記空気排出捕集器から支持した前記供給ホッパーである請求項１２に記載の脱塵装置。
【請求項１４】
前記供給ホッパーが、前記空気排出捕集器の前記中心開口内に設置され、前記調節機構によって上下動されたときに、前記中心開口内で前記供給ホッパーを中心位置に合わせるために前記供給ホッパーの外側に隙間を設けた請求項１３に記載の脱塵装置。
【請求項１５】
前記空気排出捕集器がその中心開口を取り囲む環状チャンバーを有し、
この環状チャンバーが、前記中心開口を構成する内壁および外壁によって構成され、そして、この外壁が前記内壁より高く突き出ており、
前記洗浄デッキおよび前記ベンチュリゾーンからの空気が、前記供給ホッパーと前記内壁との間を通過できて、かつこの脱塵装置から排出するために前記内壁を越えて前記環状チャンバーに流入する請求項１４に記載の脱塵装置。
【請求項１６】
前記空気排出捕集器の中の中心開口に突出するスリーブであって、上下方向に向けた前記スリーブを設けたフランジ式スリーブに前記製品供給開口を定める請求項１５に記載の脱塵装置。
【請求項１７】
前記空気排出捕集器に、半径方向に延設する空気排出導管を設け、この導管が前記環状チャンバーと流れを連通するように構成した請求項１５に記載の脱塵装置。
【請求項１８】
前記空気供給装置が前記洗浄デッキ内部の空気を前記複数の開口を経由してその流れを誘導するように、前記洗浄デッキ装置が前記空気供給装置に取り付けられる請求項１５に記載の脱塵装置。
【請求項１９】
前記洗浄デッキ装置は、前記空気供給装置の空気通路のために中心開口を設けたボトムプレート部材をさらに有しており、そして、
前記ボトムプレート部材は、ベンチュリゾーンを形成するために、前記洗浄デッキ装置と前記ハウジングとの間を上向きに空気が通るように通気口を外側円周に設けた請求項１８に記載の脱塵装置。
【請求項２０】
粒状材料から汚染物を浄化処理する脱塵装置において、
上部の製品供給開口および下部の製品排出開口を有する円筒形ハウジングと、
円錐形偏向器部材で縁取りされた下側の排出開口まで伸ばして構成される供給ホッパーと、
下部に配置し、かつ前記ハウジングで支持された空気供給装置であり、前記ハウジング内の中心に設けた上向きレグまで延長する前記空気供給装置と、
逆円錐形の洗浄デッキ装置の頂点が前記供給ホッパーの排出開口内の中心に位置して、この頂点で向きが定められる逆円錐形の洗浄デッキ装置とを備え、
前記洗浄デッキ装置が、この洗浄デッキ装置を通過する空気の通路として、この洗浄デッキ装置の円錐表面に円周状に複数の開口を設け、
前記円錐形偏向器部材が、前記円錐表面の上で粒状材料を薄い層状にして流すために前記洗浄デッキの前記円錐表面におおむね並列して対面しており、
そして、
前記洗浄デッキ装置が前記空気供給装置の空気通路のために中心開口を設けたボトムプレート部材を構成し、
前記洗浄デッキ装置に落とした前記粒状材料をきれいにするために前記洗浄デッキ装置の周囲にベンチュリゾーンを形成して、前記洗浄デッキ装置と前記ハウジングとの間を上向きに空気が通るように通気口を前記ボトムプレート部材の外側円周に有し、
そしてさらに、
前記ハウジングの上部に取り付けられた空気排出捕集器を有することを特徴とする脱塵装置。
【請求項２１】
前記洗浄デッキ装置の周囲にある前記ベンチュリゾーンは、前記空気排出捕集器に入る前に空気の速度を減らすために、上方を開けてその容量を拡張する請求項２０に記載の脱塵装置。
【請求項２２】
前記供給ホッパーから前記洗浄デッキ装置上への粒状材料の流れを制御するために、前記円錐形偏向器部材が前記円錐表面の上側位置を覆うように、前記頂点を前記供給ホッパーの排出開口内で位置決めする請求項２０に記載の脱塵装置。
【請求項２３】
前記空気排出捕集器が、前記空気排出捕集器内の中心開口を取り囲む環状チャンバーを備え、前記環状チャンバーが外壁と前記中心開口を画定する内壁で形成され、前記外壁が前記内壁よりも高く突出ているので前記供給ホッパーと前記内壁との間を通過する空気が前記内壁を越えて前記環状チャンバーに流れ込む請求項２２に記載の脱塵装置。
【請求項２４】
前記空気排出捕集器に、半径方向に延設する空気排出導管を設け、この導管が前記環状チャンバーと流れを連通するように構成した請求項２３に記載の脱塵装置。
【請求項２５】
前記環状チャンバーが、前記空気排出導管に対して反対側の端部にバッフルを設けて、この環状チャンバーの横断面積を絞り、この端部内の前記空気の速度を加速させる請求項２４に記載の脱塵装置。
【請求項２６】
前記円筒形ハウジングが、前記洗浄デッキ装置の高さに透明な中央ハウジング部材を有し、前記ハウジングの内部を観察できる請求項２０に記載の脱塵装置。
【請求項２７】
前記供給ホッパーは前記ハウジングに対して上下に移動するために前記ハウジングに取り付けられ、そして、前記洗浄デッキ装置上を流れる粒状材料の流量が選択的に制御できるように、前記供給ホッパーの前記上下の移動によって前記洗浄デッキ装置と前記製品供給開口とを分ける間隙の大きさを変える請求項１に記載の脱塵装置。
【請求項２８】
前記供給ホッパーは、前記供給ホッパーから前記洗浄デッキ装置の上に流れる粒状材料の流れを制御するために、前記洗浄デッキ装置の前記上部表面の上部を覆う円錐形偏向器部材を有する請求項２７に記載の脱塵装置。
【請求項２９】
前記円錐形偏向器部材は、前記洗浄デッキ装置の前記上部表面に概ね並行した角度方向に鍔を形成する請求項２８に記載の脱塵装置。
【請求項３０】
前記洗浄デッキ装置は前記空気供給装置の上に支持され且つ前記ハウジングと関連する位置に固定され、前記ハウジングの内部を観察できるように、前記洗浄デッキ装置に対応する位置に透明の中心ハウジング部材を設けた前記ハウジングである請求項２９に記載の脱塵装置。
【請求項３１】
前記洗浄デッキ装置に対して上下に前記供給ホッパーを移動させるために、空気流体用シリンダーで特定されるリニアーアクチュエータで遠隔的に駆動させる請求項３０に記載の脱塵装置。
【請求項３２】
前記リニアーアクチュエータは電気的に操作され且つプログラム制御で制御される請求項３１に記載の脱塵装置。